(57)【要約】【課題】鏡状態とモニター映像表示状態を切り替え可能な車両用のモニターインナーミラーにおいて、意匠性が良好な設計を可能にする。【解決手段】  車両用モニターインナーミラー１０は、シャッター液晶２６と、シャッター液晶２６の背後に配置された表示装置２８を具える。シャッター液晶２６は電気駆動により鏡状態と透過状態に切り換えられる。車両用モニターインナーミラー１０の正面形状は、全体として横長形状を有する。シャッター液晶２６の左右一方の短辺２６ｃに、シャッター液晶２６に駆動電圧を供給する給電部８６が配置されている。シャッター液晶２６の左右他方の短辺２６ｄに液晶封入部８８が配置されている。液晶封入部８８は、シャッター液晶２６に液晶を注入するのに使用した注入口を封止材で封止して構成されたものである。【選択図】図１
2018061676.tif 000002
【特許請求の範囲】
【請求項１】
電気駆動により鏡状態と透過状態に切り換えられるシャッター液晶と、該シャッター液晶の背後に配置された表示装置を具え、正面形状が全体として横長形状を有する車両用モニターインナーミラーにおいて、
前記シャッター液晶の左右一方の短辺に、該シャッター液晶に駆動電圧を供給する給電部が配置され、左右他方の短辺に、該シャッター液晶に液晶を注入するのに使用した注入口を封止材で封止した液晶封入部が配置されている
車両用モニターインナーミラー。
【請求項２】
正面に前記シャッター液晶と前記表示装置を配置したボデーと、
前記ボデーに装着され該ボデーの正面から見て前記シャッター液晶の前記給電部および前記液晶封入部を視覚的に覆い隠すカバーと
を有する請求項１に記載の車両用モニターインナーミラー。
【請求項３】
前記カバーは左右に分割されて前記ボデーの左右側部にそれぞれ装着されている請求項２に記載の車両用モニターインナーミラー。
【請求項４】
前記シャッター液晶の上下の長辺は前記ボデーの正面に露出している請求項２または３に記載の車両用モニターインナーミラー。
【請求項５】
前記シャッター液晶は前記表示装置の正面に取り付けられ、
前記表示装置は、該表示装置の背面を前記ボデーにねじで止めて、該ボデーに取り付けられている請求項２から４のいずれか１つに記載の車両用モニターインナーミラー。
【請求項６】
前記カバーは、前記ボデーの後面側で前記ねじの頭部を視覚的に覆い隠している請求項５に記載の車両用モニターインナーミラー。
【請求項７】
前記カバーは、前記ボデーの左右側部を、該ボデーの正面側および後面側から挟み付けて、該ボデーの左右側部に装着されている請求項２から６のいずれか１つに記載の車両用モニターインナーミラー。
【発明の詳細な説明】
【技術分野】
【０００１】
この発明は、鏡状態とモニター映像表示状態を切り替え可能な車両用のモニターインナーミラーに関し、意匠性のよい設計を可能にしたものである。
【背景技術】
【０００２】
モニターインナーミラーはインナーミラーに映像表示装置を組み込んだものであり、ルームミラーモニター等とも呼ばれる。鏡状態とモニター映像表示状態を切り替え可能にしたモニターインナーミラーとして特許文献１に記載のものがあった。このモニターインナーミラーは、液晶セルの背面に反射型偏光板を配置してシャッター液晶を構成し、該シャッター液晶の背面の一部の領域に液晶モニタによる映像表示装置を配置したものである。
【先行技術文献】
【特許文献】
【０００３】
【特許文献１】特許第４４１８４８３号公報
【発明の概要】
【発明が解決しようとする課題】
【０００４】
シャッター液晶の液晶セルは周縁部に給電部と液晶封入部（液晶封止部）を有する。給電部はシャッター液晶に駆動電圧を供給する端子を有する部分である。液晶封入部はシャッター液晶に液晶を注入するのに使用した注入口を封止材で封止した部分である。これら給電部および液晶封入部はモニターインナーミラーを正面から見たときの意匠性の観点から、ベゼル等のカバーで視覚的に覆い隠す必要がある。ところが、給電部および液晶封入部の配置によってはベゼル等のカバーの幅（縁取りの幅）が広くなり、該カバーによる意匠性の低下が生じる。【０００５】
この発明は、意匠性のよい設計を可能にした車両用のモニターインナーミラーを提供するものである。
【課題を解決するための手段】
【０００６】
この発明の車両用モニターインナーミラーは、電気駆動により鏡状態と透過状態に切り換えられるシャッター液晶と、該シャッター液晶の背後に配置された表示装置を具え、正面形状が全体として横長形状を有する車両用モニターインナーミラーにおいて、前記シャッター液晶の左右一方の短辺に、該シャッター液晶に駆動電圧を供給する給電部が配置され、左右他方の短辺に、該シャッター液晶に液晶を注入するのに使用した注入口を封止材で封止した液晶封入部が配置されているものである。モニターインナーミラーにおいて、シャッター液晶の給電部と液晶封入部は、モニターインナーミラーを正面から見たときの意匠性の観点から、ベゼル等のカバーで視覚的に覆い隠す必要がある。この場合、給電部および／または液晶封入部がシャッター液晶の上下の長辺に配置されていると、長辺においてカバーの幅が広くなり、見栄えの悪い意匠となる。この発明によれば、給電部および液晶封入部をシャッター液晶の左右の短辺に配置したので、長辺におけるカバーの幅を細くしあるいは長辺のカバーをなくすことができ、意匠性のよい設計をすることができる。また、給電部と液晶封入部を左右の短辺に分けて配置したので、左右の短辺でカバーの幅を均等にして、モニターインナーミラーの正面形状を左右対称にする設計を容易に実現することができ、意匠性のよい設計をすることができる。なお、本発明における車両用モニターインナーミラーは、車両の前側上部に配置されたものに限られず車両内のどこに配置されたものであってもよい。【０００７】
この発明の車両用モニターインナーミラーは、正面に前記シャッター液晶と前記表示装置を配置したボデーと、前記ボデーに装着され該ボデーの正面から見て前記シャッター液晶の前記給電部および前記液晶封入部を視覚的に覆い隠すカバーとを有することができる。これによれば、給電部と液晶封入部を、ボデーに装着されたカバーで視覚的に覆い隠すことができる。【０００８】
この発明の車両用モニターインナーミラーにおいて、前記カバーは、例えば、前記シャッター液晶の前記左右短辺の全長をそれぞれ視覚的に覆い隠すものとすることができる。これによれば、カバーは給電部と液晶封入部を含む、シャッター液晶の左右短辺の全長を視覚的に覆い隠すことができる。【０００９】
この発明の車両用モニターインナーミラーにおいて、前記カバーは左右に分割されて前記ボデーの左右側部にそれぞれ装着されているものとすることができる。これによれば、ボデーの左右側部ごとにカバーを装着することができる。【００１０】
この発明の車両用モニターインナーミラーにおいて、前記シャッター液晶の上下の長辺は前記ボデーの正面に露出しているものとすることができる。これによれば、シャッター液晶の上下の長辺を隠すカバーが存在しないので、長辺におけるカバーの幅を細くしあるいは長辺のカバーをなくすことができ、意匠性のよいモニターインナーミラーが得られる。【００１１】
この発明の車両用モニターインナーミラーにおいて、前記シャッター液晶は前記表示装置の正面に取り付けられ、前記表示装置は、該表示装置の背面を前記ボデーにねじで止めて、該ボデーに取り付けられているものとすることができる。仮に、シャッター液晶および表示装置の正面側からねじを差し込んでシャッター液晶および表示装置をボデーにねじ止めする設計とした場合には、シャッター液晶および表示装置の周縁部にねじ止め部位を外方に張り出して形成し、該ねじ止め部位でシャッター液晶および表示装置をボデーにねじ止めするように構成する必要がある。しかし、このように構成すると、ねじ止め部位を正面側から隠す構造が必要となり、意匠性が低下する。これに対し、シャッター液晶および表示装置をその背面側からその面内でねじ止めすることにより、該張り出し部位は不要となり、意匠性が向上する。【００１２】
この発明の車両用モニターインナーミラーにおいて、前記カバーは、前記ボデーの後面側で前記ねじの頭部を視覚的に覆い隠しているものとすることができる。これによれば、表示装置をボデーにねじ止めするねじの頭部をカバーで視覚的に覆い隠すことにより、良好な意匠性を確保することができる。【００１３】
この発明の車両用モニターインナーミラーにおいて、前記カバーは、前記ボデーの左右側部を、該ボデーの正面側および後面側から挟み付けて、該ボデーの左右側部に装着されているものとすることができる。これによれば、カバーを簡単に装着することができる。また、カバーの、ボデーの左右側部の正面側に配置される箇所を、シャッター液晶の左右の短辺の正面側に配置する設計とすることにより、該箇所に、シャッター液晶がボデーから脱落するのを防止する機能を持たせることもできる。
【図面の簡単な説明】
【００１４】
【図１】図２ＡのモニターインナーミラーのＸ−Ｘ矢視断面図である。
【図２Ａ】この発明によるモニターインナーミラーの実施の形態を示す正面図である。
【図２Ｂ】図２Ａのモニターインナーミラーの背面図である。
【図２Ｃ】図２Ａのモニターインナーミラーの右側面図である。
【図３Ａ】図２のモニターインナーミラーにおけるボデーを示す正面図で、該ボデーの正面凹所に表示装置を配置した状態で示す。
【図３Ｂ】図３Ａのボデーの背面図である。
【図３Ｃ】図３Ａのボデーの右側面図である。
【図４Ａ】図２のモニターインナーミラーにおける右カバーの正面図である。
【図４Ｂ】図４Ａの右カバーの背面図である。
【図５Ａ】図３のボデーに左右のカバーを取り付ける方法を示す図で、該ボデーおよび該左右のカバーを正面斜め上方から見た斜視図である。
【図５Ｂ】図５Ａの状態を背面斜め上方から見た斜視図である。
【図６】図２ＡのモニターインナーミラーのＹ−Ｙ矢視断面図である。
【図７】図１のモニターインナーミラー本体部の模式断面図である。
【図８】図１のシャッター液晶の正面図である。
【図９】図１のシャッター液晶の左辺を、表側のガラス基板を外した状態で示す模式図で、給電路の構造の一例を示す。
【図１０】図９のＩ−Ｉ矢視断面を示す模式図で、両ガラス基板を封止材で貼り合わせた状態で示す。
【図１１】図１のＡ部拡大図で、給電部付近の構造を示す。
【図１２】図１のＢ部拡大図で、液晶封入部付近の構造を示す。
【図１３】図１のＺ−Ｚ矢視位置におけるモニターインナーミラー本体部の模式断面図で、ボスの設置構造を示す。
【図１４Ａ】シャッター液晶の正面形状の別の例を示す正面図である。
【図１４Ｂ】シャッター液晶の正面形状のさらに別の例を示す正面図である。
【発明を実施するための形態】
【００１５】
この発明の実施の形態を説明する。図２はこの発明によるモニターインナーミラーの実施の形態を示す。図２Ａは正面図、図２Ｂは背面図、図２Ｃは右側面図である。モニターインナーミラー１０は、ボデー１２と、モニターインナーミラー本体部１４と、左右のカバー１６，１８を有する。ボデー１２と左右のカバー１６，１８は樹脂による一体成形品でそれぞれ構成される。モニターインナーミラー１０の正面形状は、図２Ａに示されているように、左右中心軸に対し左右対称に構成されている。モニターインナーミラー１０並びにモニターインナーミラー本体部１４の正面形状は、全体として横長四角形（横長長方形）に形成されている。ボデー１２の正面にはモニターインナーミラー本体部１４を収容配置する正面凹所２０が形成されている。正面凹所２０の正面形状は横長長方形状に形成されている。モニターインナーミラー本体部１４は、モニターインナーミラー本体部１４が正面凹所２０に収容配置された状態で、ボデー１２の背面側から差し込まれたねじ４２（図１、図５Ｂ）によってボデー１２にねじ止め固定されている。カバー１６，１８はボデー１２の左右側部１２Ｌ，１２Ｒにそれぞれ嵌め込み装着されている。カバー１６，１８をボデー１２の左右側部１２Ｌ，１２Ｒに嵌め込み装着した状態で、カバー１６，１８がボデー１２の左右側部１２Ｌ，１２Ｒから容易に外れないように、カバー１６，１８とボデー１２の左右側部１２Ｌ，１２Ｒとの間には爪係合等の係止構造が構成されている。すなわち、ボデー１２の左右側部１２Ｌ，１２Ｒの背面凹所１７，１９（図３Ｂ）の表面の上下に爪嵌合穴３１がそれぞれ構成されている。また、左右のカバー１６，１８の押さえ板部１６ｂ，１８ｂ（図４Ａ）の、爪嵌合穴３１との各対面箇所に爪３３がそれぞれ突出構成されている。カバー１６，１８をボデー１２の左右側部１２Ｌ，１２Ｒに嵌め込み装着すると、各爪３３が各爪嵌合穴３１にそれぞれ嵌合し、カバー１６，１８はボデー１２から容易に外れないようになる。車室前側の左右中央寄り上部位置にはモニターインナーミラー１０を取り付けるためのステー（図示せず）が垂下状態に取り付けられている。ボデー１２の背面には差込穴２２が形成されている。差込穴２２は、差込穴２２に該ステーの下端部が差し込まれることにより、該ステーにモニターインナーミラー１０を角度調整自在に取り付けるためのものである。ボデー１２の正面下部の左右中央の膨出部２７には、光センサ２４とＬＥＤ２５が配置されている。光センサ２４は自動防眩機能のために使用される。ＬＥＤ２５はモニター電源のオン／オフ状態を表示する。
【００１６】
ボデー１２の構造を図３に示す。図３Ａは正面図、図３Ｂは背面図、図３Ｃは右側面図である。図３Ａは、ボデー１２の正面凹所２０にモニターインナーミラー本体部１４を配置した状態で示している。図３Ｂに示すように、ボデー１２の背面の左右には、カバー１６，１８をそれぞれ嵌め込んで装着する背面凹所１７，１９が形成されている。背面凹所１７，１９の各面内には、窪み２１が、上下に２箇所ずつ（左右の背面凹所１７，１９で合計４箇所）形成されている。窪み２１は、ボデー１２にモニターインナーミラー本体部１４をねじ止めするためのねじ４２（図１、図５Ｂ）を進入させるためのものである。各窪み２１の底部にはねじ通し穴３８ａがそれぞれ形成されている。
【００１７】
右カバー１８の構造を図４に示す。図４Ａは正面図、図４Ｂは背面図である。右カバー１８は鈎状の横断面形状を有する（図１参照）。右カバー１８は正面側にベゼル部１８ａ、背面側に押さえ板部１８ｂ、ベゼル部１８ａと押さえ板部１８ｂの間に屈曲部１８ｄを一体に有する。右カバー１８の内面側には、右カバー１８の鈎状の横断面形状による、凹所１８ｃが形成されている。屈曲部１８ｄは弾性変形し易いように、押さえ板部１８ｂよりも板厚が薄く形成されている（図１参照）。ベゼル部１８ａは屈曲部１８ｄと同等の板厚に形成され、該板厚が先細りに（つまり先端に行くに従い板厚が薄くなるように）形成されている。左カバー１６は右カバー１８と左右対称構造である。より正確に言えば、左カバー１６と右カバー１８は同一構造の部品であり、該同一構造の部品を面方向に１８０度回転させて使うことにより、左カバー１６と右カバー１８に使い分けている。なお、左カバー１６と右カバー１８は必ずしも同一構造である必要はなく、別々の構造（つまり互いに異なる構造）にすることもできる。
【００１８】
図２のモニターインナーミラー１０の大まかな組み立て手順は次のとおりである。予め、シャッター液晶２６と表示装置２８（図１）を組み付けてモニターインナーミラー本体部１４を構成する。ボデー１２の正面凹所２０にモニターインナーミラー本体部１４を収容し、ボデー１２の背面側から４本のねじ４２（図１、図５Ｂ）をねじ込んで、モニターインナーミラー本体部１４をボデー１２に固定する。この状態で、ボデー１２の左右側部１２Ｌ，１２Ｒに、カバー１６，１８を嵌め込んで装着する。これで組み立てが完了する。ボデー１２に対する左右のカバー１６，１８の取付け方法を図５に示す。図５Ａはボデー１２および左右のカバー１６，１８を正面斜め上方から見た図、図５Ｂはボデー１２および左右のカバー１６，１８を背面斜め上方から見た図である。ボデー１２にモニターインナーミラー本体部１４をねじ４２で装着した後、矢印Ｃで示すように、左カバー１６を、ボデー１２の左側部１２Ｌに側方から接近させる。そして、左カバー１６の凹所１６ｃにボデー１２の左側部１２Ｌを進入させて、ボデー１２の左側部１２Ｌで屈曲部１６ｄを撓ませながら、ボデー１２の左側部１２Ｌを凹所１６ｃに嵌め込む。これにより、左カバー１６を、左カバー１６の弾性力で、ボデー１２の左側部１２Ｌに、ボデー１２の厚み方向に挟み付ける。このようにして、左カバー１６をボデー１２の左側部１２Ｌに装着する。このとき、左カバー１６の押さえ板部１６ｂはボデー１２の背面凹所１７に安定に保持される。背面凹所１７内に露出しているねじ４２の頭部は左カバー１６で覆い隠される。右カバー１８についても同様にボデー１２の右側部１２Ｒに装着される。すなわち、矢印Ｄで示すように、右カバー１８を、ボデー１２の右側部１２Ｒに側方から接近させる。そして、右カバー１８の凹所１８ｃにボデー１２の右側部１２Ｒを進入させて、ボデー１２の右側部１２Ｒで屈曲部１８ｄを撓ませながら、ボデー１２の右側部１２Ｒを凹所１８ｃに嵌め込む。これにより、右カバー１８を、右カバー１８弾性力で、ボデー１２の右側部１２Ｒに、ボデー１２の厚み方向に挟み付ける。このようにして、右カバー１８をボデー１２の右側部１２Ｒに装着する。このとき、右カバー１８の押さえ板部１８ｂはボデー１２の背面凹所１９に安定に保持される。背面凹所１９内に露出しているねじ４２の頭部は右カバー１８で覆い隠される。
【００１９】
以上のようにして組み立てられたモニターインナーミラー１０の断面構造を説明する。図２Ａのモニターインナーミラー１０のＸ−Ｘ矢視断面、Ｙ−Ｙ矢視断面を図１、図６にそれぞれ示す。モニターインナーミラー本体部１４は、シャッター液晶２６と、シャッター液晶２６の背後に配置された表示装置２８を具える。シャッター液晶２６と表示装置２８は、シャッター液晶２６と表示装置２８の外周部の全周で、両面テープ３０（両面接着テープ、両面粘着テープ）または接着剤、粘着剤等により相互に貼り合わされて接合されている。シャッター液晶２６と表示装置２８どうしがこのように接合され組み立てられて、モニターインナーミラー本体部１４が構成されている。モニターインナーミラー本体部１４は、ボデー１２の正面凹所２０に収容されて、ボデー１２の背面側から４本のねじ４２（図１、図５Ｂ）をねじ込んでボデー１２に固定される。図１、図６に示されているように、シャッター液晶２６と表示装置２８との間には空気層３２が形成されているが、シャッター液晶２６と表示装置２８どうしを密着させて空気層３２をなくすこともできる。シャッター液晶２６は表示装置２８よりも若干大面積に構成され、表示装置２８の外周はその全周でシャッター液晶２６の外周よりも内周側に配置されている。シャッター液晶２６は電気駆動により鏡状態と透過状態に切り換えられる。表示装置２８はモニターＬＣＤ等の発光式表示装置で構成される。表示装置２８はいわゆる電子ミラーとして、車両後部に車両後方に向けて配置された後方カメラによる車両後方映像、ドアミラーに車両側方斜め後方に向けて配置されたドアカメラによる車両側方斜め後方映像、車両後部に車両斜め下後方に向けて配置された下後方カメラによる車両斜め下後方映像等を表示する。モニターインナーミラー本体部１４は、運転者のマニュアル操作によりまたは運転状況に基づく自動制御で、鏡状態とモニター映像表示状態とに切り換えられる。また鏡状態は、運転者のマニュアル操作によりまたは運転状況に基づく自動制御で、高反射率状態と低反射率状態（防眩状態）に変化する。
【００２０】
図１、図６において、表示装置２８には背面側から金属製（例えば鉄製）のバックカバー２９が被せて装着されている。バックカバー２９は表示装置２８の背面全面および側面全面および正面周縁部全周を覆っている。両面テープ３０はバックカバー２９の正面周縁部全周のベゼル部２９ａ（図３Ａ参照）の上（ベゼル部２９ａの表面）に貼り付けられている。表示装置２８の背面の面内には表示装置２８用の回路基板３４が貼り付けられている。表示装置２８の背面の面内の、回路基板３４が装着された領域の外側には、上下左右の４箇所にボス３６が突出配置されている。各ボス３６には雌ねじ３６ａが形成されている。これら４個のボス３６に対応して、ボデー１２の内周面には、上下左右の４箇所にボス３８が突出形成されている。各ボス３８にはねじ通し穴３８ａが形成されている。４組のボス３６とボス３８の間に回路基板４０を挟み込んで、４組のボス３６とボス３８どうしを突き合わせる。そして、ボデー１２の背面側から４本のねじ４２を、ねじ通し穴３８ａおよび回路基板４０のねじ通し穴４０ａに通して、雌ねじ３６ａにそれぞれねじ込む。これにより、モニターインナーミラー本体部１４および回路基板４０は、ボデー１２の正面凹所２０に収容された状態でボデー１２に取り付けられる。回路基板４０はシャッター液晶２６および表示装置２８用の電源供給と制御を行う回路基板である。回路基板４０とシャッター液晶２６との間には、回路基板４０からシャッター液晶２６に電源供給を行うハーネス４３，４４（電線）が接続されている。仮に、モニターインナーミラー本体部１４をボデー１２にモニターインナーミラー１０の正面側からねじ止めする場合には、モニターインナーミラー本体部１４の外周部に外方に張り出したねじ止め部位を形成する必要がある。この場合、モニターインナーミラー１０の正面にこのねじ止め部位を隠すカバーが必要となり意匠性が低下する。これに対し、この実施の形態ではモニターインナーミラー本体部１４の背面側の面内にねじ止め部位（ボス３６）が形成されているので、モニターインナーミラー本体部１４の外周部に外方に張り出したねじ止め部位を形成する必要がなく、意匠性が向上する。
【００２１】
モニターインナーミラー本体部１４の断面構造を図７に模式的に示す。図７においてモニターインナーミラー本体部１４の左側はモニターインナーミラー本体部１４の正面側であり、右側は同背面側である。運転者等の視認者の視点４５はモニターインナーミラー本体部１４の正面側に配置される。シャッター液晶２６は２枚のガラス基板４６，４８をスペーサ４９を挟んで対向させて空隙５２を形成した構造を有する。空隙５２にはＴＮ型液晶５４が封入されている。空隙５２の外周部全周は封止材５５（接着剤）で封止されている。ガラス基板４６，４８の互いの内側の面（対向面）の全面にはＩＴＯ透明電極膜５６，５８がそれぞれ成膜されている。透明電極膜５６，５８の表面には配向膜５７，５９がそれぞれ形成されている。正面側（表側）のガラス基板４６の正面側の面には吸収型偏光板Ｐ１が貼着されている。吸収型偏光板Ｐ１は水平偏光を透過し、垂直偏光を吸収するように、構成されかつ偏光軸（偏光方向）が配置されている。背面側（裏側）のガラス基板４８の背面側の面には反射型偏光板Ｐ２が貼着されている。反射型偏光板Ｐ２は水平偏光を透過し、垂直偏光を反射するように、構成されかつ偏光軸が配置されている。反射型偏光板Ｐ２としては例えばスリーエム社製ＤＢＥＦ（登録商標）を使用することができる。
【００２２】
一方、表示装置２８はカラーモニターＬＣＤで構成される。すなわち、表示装置２８は、カラー液晶パネル６０と、カラー液晶パネル６０の背面側に配置されたバックライト６２を有する。カラー液晶パネル６０は２枚のガラス基板６４，６６をスペーサ６８を挟んで対向させて空隙７０を形成した構造を有する。空隙７０にはＩＰＳ型液晶７２が封入されている。空隙７０の外周部全周は封止材７４で封止されている。正面側のガラス基板６４（カラーフィルター基板）の正面側の面には吸収型偏光板Ｐ３が貼着されている。吸収型偏光板Ｐ３は水平偏光を透過し、垂直偏光を吸収するように、構成されかつ偏光軸が配置されている。ガラス基板６４の背面側の面（ガラス基板６６との対向面）には、カラーフィルター７６、配向膜８０が順次積層されている。背面側のガラス基板６６（アレイ基板）の正面側の面（ガラス基板６４との対向面）には、ＴＦＴ回路およびＩＴＯ透明電極膜（画素電極）を含むアレイ膜８２、配向膜８４が順次積層されている。ガラス基板６６の背面側の面には吸収型偏光板Ｐ４が貼着されている。吸収型偏光板Ｐ４は水平偏光を吸収し、垂直偏光を透過するように、構成されかつ偏光軸が配置されている。偏光板Ｐ１〜Ｐ４の、水平偏光、垂直偏光に対する透過、吸収、反射の関係をまとめると次表のとおりである。
Ｐ１(吸収型)  Ｐ２(反射型)  Ｐ３(吸収型)  Ｐ４(吸収型)
−−−−−−−−−−−−−−−−−−−−−−−−−−−−−−−−
水平偏光：    透過          透過          透過          吸収
垂直偏光：    吸収          反射          吸収          透過
【００２３】
図１の構造のモニターインナーミラー本体部１４の動作モードは、鏡状態（高反射率非防眩状態／低反射率防眩状態）とモニター映像表示状態とに切り換えられる。各動作モードを説明する。
《鏡状態（高反射率非防眩状態）》
シャッター液晶２６をオフ（液晶５４に電圧非印加）、表示装置２８をオフ（液晶７２に電圧非印加およびバックライト６２を消灯）に設定する。このとき、シャッター液晶２６に入射される外光は吸収型偏光板Ｐ１に入射される。入射された外光の水平偏光成分は吸収型偏光板Ｐ１を透過する。透過した水平偏光は液晶５４で偏光軸が９０度回転されて垂直偏光となる。この垂直偏光は偏光軸が水平方向に設定されている反射型偏光板Ｐ２で反射される。反射された垂直偏光は液晶５４で偏光軸が９０度回転されて水平偏光となる。この水平偏光は偏光軸が水平方向に設定されている吸収型偏光板Ｐ１を透過して視認者の視点４５に導かれる。これにより高反射率の鏡状態が得られる。
《鏡状態（低反射率防眩状態）》
シャッター液晶２６にオフ電圧とオン電圧の中間電圧（液晶５４中の液晶分子が完全には立ち上がらない状態となる電圧）を印加し、表示装置２８をオフ（液晶７２に電圧非印加およびバックライト６２を消灯）に設定する。このとき、シャッター液晶２６に入射される外光は吸収型偏光板Ｐ１に入射される。入射された外光の水平偏光成分は吸収型偏光板Ｐ１を透過する。透過した水平偏光は液晶５４に入射されるが、液晶５４には中間電圧が印加されているので、入射した水平偏光は完全な垂直偏光とはならず、一部が反射型偏光板Ｐ２を透過し、残りの一部が反射型偏光板Ｐ２で反射される。反射された偏光は液晶５４を透過し、該偏光の一部が吸収型偏光板Ｐ１を透過して視認者の視点４５に導かれる。これにより低反射率の防眩鏡状態が得られる。中間電圧の電圧値を変化させることにより、反射率を連続的に変化させることができる。
《モニター映像表示状態》
シャッター液晶２６をオン（液晶５４中の液晶分子が完全に立ち上がった状態となる電圧を印加）、表示装置２８をオン（液晶７２に画素単位で映像の画素に応じた電圧を印加し、バックライト６２を点灯）に設定する。このとき、表示装置２８の最表面の吸収型偏光板Ｐ３からは水平偏光の映像光が出射される。この映像光はシャッター液晶２６をそのまま透過して視認者の視点４５に導かれて該視認者に視認される。このときシャッター液晶２６に入射される外光は吸収型偏光板Ｐ１に入射される。入射された外光の垂直偏光は吸収型偏光板Ｐ１で吸収される。また、該外光の水平偏光はシャッター液晶２６を透過し、表示装置２８に入射され、吸収型偏光板Ｐ４で吸収されまたは吸収型偏光板Ｐ４を透過する。したがって、該水平偏光は視認者の視点４５にはほとんど戻って来ない。
【００２４】
シャッター液晶２６の正面構造を図８に示す。シャッター液晶２６の正面形状は、全体として横長四角形（横長長方形）に形成されている。すなわち、シャッター液晶２６を正面から見て、シャッター液晶２６の上辺２６ａおよび下辺２６ｂが、横方向に延在する長辺をそれぞれ構成し、シャッター液晶２６の左辺２６ｃおよび右辺２６ｄが、縦方向に延在する短辺をそれぞれ構成する。各辺２６ａ，２６ｂ，２６ｃ，２６ｄの正面側エッジをＣ面（すなわち４５度等の傾斜面によるカット）またはＲ面（すなわち丸みのあるカット）に面取りすることもできる。特に、長辺２６ａ，２６ｂは正面に露出して視認されるので、長辺２６ａ，２６ｂの正面側エッジを面取りすると意匠性が向上する。左辺２６ｃには給電部８６が配置されている。右辺２６ｄには液晶封入部８８が配置されている。給電部８６はシャッター液晶２６に駆動電圧を供給する端子を構成するものである。給電部８６は、後述するクリップ電極８９，９０等を有する。液晶封入部８８は、シャッター液晶２６の空隙５２（図７）に液晶５４を注入するのに使用した注入口を封止材（接着剤）で閉じた構造として構成されている。該注入口は図７の封止材５５の全周の一部に構成される。液晶封入部８８の封止材の一部はガラス基板４６，４８の右辺２６ｄの端面から外方に突出して固化されている。シャッター液晶２６の２枚のガラス基板４６，４８（図７）どうしは、縦寸法が等しく、横寸法がわずかに（例えば２mm程度）異なっているように構成されている。両ガラス基板４６，４８の外周四辺において、上辺２６ａどうし、下辺２６ｂどうし、右辺２６ｄどうしは、それぞれ同じ位置（相互に重なる位置）に配置されている。また、左辺２６ｃどうしは、ガラス基板４６，４８の横寸法が異なる分、ずれた位置に配置されている（図１０、図１１参照）。ガラス基板４６，４８の左辺２６ｃにおいて、ガラス基板４８には、このずれにより突出した左辺突出部４８ａ（図１０、図１１）が形成されている。左辺突出部４８ａには２個のクリップ電極８９，９０（図９、図１０、図１１）が、左辺２６ｃに沿って並べて、ガラス基板４８の板厚方向に挟み付けて取り付けられる。各クリップ電極８９，９０の基部にはハーネス４３，４４が半田付けされる。２個のクリップ電極８９，９０は、透明電極膜５６，５８（図７、図１０）にそれぞれ導通する。クリップ電極８９，９０は、ハーネス４３，４４から供給される駆動電圧を透明電極膜５６，５８間に印加する。
【００２５】
クリップ電極８９，９０から透明電極膜５６，５８に給電する給電路の一例を説明する。図９はシャッター液晶２６の左辺２６ｃを、ガラス基板４６を外した状態で示す。ガラス基板４８の表面に形成された透明電極膜５８の左辺部にはレーザーカット等による分割線９１が形成されている。この分割線９１により、透明電極膜５８の左辺の一部の領域５８ａが、透明電極膜５８の他の領域５８ｂから分離されている。領域５８ｂは、液晶５４に電圧を印加する領域である。透明電極膜５８の一部の領域５８ａと他の領域５８ｂは分割線９１により互いに非導通とされている。一方のクリップ電極８９は一部の領域５８ａでガラス基板４８に挟み付けられている。他方のクリップ電極９０は他の領域５８ｂでガラス基板４８に挟み付けられている。これにより、クリップ電極８９は一部の領域５８ａに導通し、クリップ電極９０は他の領域５８ｂに導通する。クリップ電極８９にはハーネス４３が接続され、クリップ電極９０にはハーネス４４が接続されている。空隙５２（図７、図１０）の外周部を封止する封止材５５の全体のうち、一部の領域５８ａ内に配置される部分は、導電性封止材５５ａで構成されている。封止材５５の全体のうち、導電性封止材５５ａ以外の部分は非導電性封止材で構成されている。図９のＩ−Ｉ矢視断面を図１０に示す。図１０はガラス基板４６，４８を封止材５５（導電性封止材５５ａを含む）で貼り合わせた状態で示している。図１０によれば、一部の領域５８ａは導電性封止材５５ａを介してガラス基板４６側の透明電極膜５６に導通している。これにより、ハーネス４３はクリップ電極８９、一部の領域５８ａ、導電性封止材５５ａを介して透明電極膜５６に導通する。また、ハーネス４４はクリップ電極９０を介して透明導電膜５８（他の領域５８ｂ）に導通する。したがって、両ハーネス４３，４４間に電圧を印加することにより、液晶５４に電圧が印加される。
【００２６】
図１に示されているように、シャッター液晶２６の左辺２６ｃは、全長に亘りカバー１６のベゼル部１６ａで覆われて、視認者の視点４５から隠されている。これに伴いガラス基板４８の左辺突出部４８ａおよびクリップ電極８９，９０はベゼル部１６ａで隠される。同様に、シャッター液晶２６の右辺２６ｄは、全長に亘りカバー１８のベゼル部１８ａで覆われて、視認者の視点４５から隠されている。これに伴い液晶封入部８８はベゼル部１８ａで隠される。一方、ガラス基板４６，４８の上辺２６ａおよび下辺２６ｂの端面には何の造作もなく、直線状の該端面がそのまま外界に露出している（図６参照）。図２Ａに示されているように、シャッター液晶２６の上辺２６ａの上側にはボデー１２の正面凹所２０の上辺を区画する幅の狭い（細い）縁取り２０ａしか存在しない（すなわちシャッター液晶２６の上辺２６ａを覆い隠す部分が存在しない）。また、シャッター液晶２６の下辺２６ｂの下側には、光センサ２４とＬＥＤ２５を設置する膨出部２７を除き、ボデー１２の正面凹所２０の下辺を区画する幅の狭い（細い）縁取り２０ｂしか存在しない（すなわちシャッター液晶２６の下辺２６ｂを覆い隠す部分が存在しない）。これにより、モニターインナーミラー１０は正面側から見て全体としてスマートな意匠が得られている。左右のベゼル部１６ａ，１８ａは、シャッター液晶２６の左辺２６ｃおよび右辺２６ｄに被さっているので、モニターインナーミラー１０からのシャッター液晶２６の万一の脱落を防止する効果も得られている。
【００２７】
給電部８６を中心とする図１のＡ部の拡大図を図１１に示す。シャッター液晶２６の、背面側のガラス基板４８の左辺突出部４８ａにクリップ電極８９，９０が装着されている。ガラス基板４８の背面の外周部全周には黒色等の暗色マスクテープ９２が貼り付けられている。両面テープ３０は暗色マスクテープ９２の上に重ねて貼り付けられている。両面テープ３０はシャッター液晶２６と表示装置２８どうしを貼り付けている。暗色マスクテープ９２は両面テープ３０よりも広幅に形成されている。両面テープ３０は暗色マスクテープ９２の面内に配置されている。これにより、視認者の視点４５（図１）からは両面テープ３０の全周が暗色マスクテープ９２で隠される。暗色マスクテープ９２の外周端は、カバー１６のベゼル部１６ａの内周端に重なる位置に達して配置されている。シャッター液晶の左辺２６ｃは全長に亘りカバー１６のベゼル部１６ａで視認者の視点４５から隠されている。これに伴いガラス基板４８の左辺突出部４８ａおよびクリップ電極８９，９０はベゼル部１６ａで隠されている。
【００２８】
液晶封入部８８を中心とする図１のＢ部の拡大図を図１２に示す。暗色マスクテープ９２の外周端は、カバー１８のベゼル部１８ａの内周端に重なる位置に達して配置されている。シャッター液晶の右辺２６ｄは全長に亘りカバー１８のベゼル部１８ａで視認者の視点４５から隠されている。これに伴い液晶封入部８８はベゼル部１８ａで隠されている。
【００２９】
モニターインナーミラー本体部１４をボデー１２に取り付けるためのボス３６の設置構造を説明する。図１３は図１のＺ−Ｚ矢視位置におけるモニターインナーミラー本体部１４の模式断面図を示す。金属製のバックカバー２９の背面には板面２９ｂが構成されている。板面２９ｂには、ボス３６を形成する４箇所に穴９４が開設されている。各穴９４には、ブラインドナット９６（雌ねじ付きリベット）がバックカバー２９の内周面側から差し込まれる。ブラインドナット９６には雌ねじ３６ａが構成されている。ブラインドナット９６の軸部の一部は工具で軸方向に潰されている。これにより、ブラインドナット９６は、バックカバー２９に、ブラインドナット９６の軸方向および軸周り方向に移動不能に固定される。ブラインドナット９６の軸部は、バックカバー２９から突出して、ボス３６を構成する。雌ねじ３６ａにねじ４２（図１）をねじ込むことにより、モニターインナーミラー本体部１４および回路基板４０はボデー１２に取り付けられる。
【００３０】
前記実施の形態ではシャッター液晶２６の正面形状を横長長方形としたが、シャッター液晶２６の正面形状はこれに限らない。シャッター液晶２６の正面形状の別の例を図１４に示す。図１４Ａのシャッター液晶２６’は横長台形状の正面形状を有する。上下の長辺２６ａ’，２６ｂ’の長さに関しては、下辺２６ｂ’の方が上辺２６ａ’よりも長い。左右の短辺２６ｃ’（左辺），２６ｄ’（右辺）の長さは等しい。したがって左右の底角θ１，θ２は等しい。左右の短辺２６ｃ’，２６ｄ’の長さを異ならせる（すなわち左右の底角θ１，θ２を異ならせる）こともできる。左右の短辺２６ｃ’，２６ｄ’において、一方の短辺２６ｃ’に給電部８６が配置され、他方の短辺２６ｄ’に液晶封入部８８が配置されている。図１４Ｂのシャッター液晶２６”は横長長円形の正面形状を有する。上下の長辺２６ａ”（上辺），２６ｂ”（下辺）、左右の短辺２６ｃ”（左辺），２６ｄ”（右辺）はそれぞれ曲率を有する。左右の短辺２６ｃ”，２６ｄ”において、一方の短辺２６ｃ”に給電部８６が配置され、他方の短辺２６ｄ”に液晶封入部８８が配置されている。
【００３１】
前記実施の形態では、左右のカバー１６，１８のベゼル部１６ａ，１８ａをシャッター液晶２６の表面から離して（浮かせて）配置したが（図１、図１１、図１２参照）、ベゼル部１６ａ，１８ａをシャッター液晶２６の表面に当接させて押し当てて配置することもできる。前記実施の形態ではカバー１６，１８を左右分割構成にしたが、カバー１６，１８を左右一体構成にして（すなわち押さえ板部１６ｂ，１８ｂ間を連続させた構成にする）、ボデー１２に装着することもできる。前記実施の形態では表示装置を液晶表示装置で構成したが、これに限らない。すなわち、表示装置は有機ＥＬ表示装置等で構成することもできる。前記実施の形態ではモニターインナーミラー１０の正面形状を左右中心軸に対し左右対称に構成したが、これに限らない。すなわち、モニターインナーミラー１０の正面形状を左右非対象に構成することもできる。また、前記実施の形態で示したモニターインナーミラー１０は次の手順で組み立てられる構造を有する。
(i) 横長形状のモニターインナーミラー本体部１４を横長形状のボデー１２の正面の凹所に収容配置する。
(ii) 必要に応じてモニターインナーミラー本体部１４をモニターインナーミラー本体部１４の背面側でボデー１２にねじ止めする等により、モニターインナーミラー本体部１４をボデー１２に取り付ける。
(iii) ボデー１２の左右側部１２Ｌ，１２Ｒにカバー１６，１８（カバー１６，１８は一体でもよい）を、モニターインナーミラー本体部１４の左右短辺に被さるように装着してモニターインナーミラー１０を組み立てる。
この組み立て構造は、例えば次のような、他の各種インナーミラーにも適用することができる。
・シャッター液晶に代えてハーフミラーを使用したモニターインナーミラー本体部を有するモニターインナーミラー
・モニター付きでないインナーミラー本体部（例えばエレクトロクロミック防眩式インナーミラー本体部、１枚の普通のミラー板のみで構成されるインナーミラー本体部）を有するインナーミラー
特に、エレクトロクロミック防眩式インナーミラー本体部においては、シャッター液晶と同様に給電部と液晶封入部を有するので、当該構造を好適に適用できる。この場合、エレクトロクロミック素子の給電部と液晶封入部を左右の短辺に分けて配置することにより、左右の短辺でカバーの幅を均等に設計することができ、意匠性のよい設計となる。また、前記実施の形態では、表示装置２８としてＩＰＳ型液晶を用いた場合について説明したが、ＴＮ型液晶、ＶＡ型液晶など他の動作モードの表示装置を用いてもよい。
【符号の説明】
【００３２】
１０…モニターインナーミラー、１２…ボデー、１２Ｌ…ボデーの左側部、１２Ｒ…ボデーの右側部、１４…モニターインナーミラー本体部、１６，１８…カバー、２６…シャッター液晶、２６ａ，２６ｂ…シャッター液晶の上下の長辺、２６ｃ，２６ｄ…シャッター液晶の左右の短辺、２８…表示装置、４２…ねじ、８６…給電部、８８…液晶封入部
【図１】
2018061676.tif 000003
【図２Ａ】
2018061676.tif 000004
【図２Ｂ】
2018061676.tif 000005
【図２Ｃ】
2018061676.tif 000006
【図３Ａ】
2018061676.tif 000007
【図３Ｂ】
2018061676.tif 000008
【図３Ｃ】
2018061676.tif 000009
【図４Ａ】
2018061676.tif 000010
【図４Ｂ】
2018061676.tif 000011
【図５Ａ】
2018061676.tif 000012
【図５Ｂ】
2018061676.tif 000013
【図６】
2018061676.tif 000014
【図７】
2018061676.tif 000015
【図８】
2018061676.tif 000016
【図９】
2018061676.tif 000017
【図１０】
2018061676.tif 000018
【図１１】
2018061676.tif 000019
【図１２】
2018061676.tif 000020
【図１３】
2018061676.tif 000021
【図１４Ａ】
2018061676.tif 000022
【図１４Ｂ】
2018061676.tif 000023
【国際調査報告】
2018061676.tif 000024
2018061676.tif 000025
2018061676.tif 000026
2018061676.tif 000027